(57)【要約】本発明は、透湿装置及びそれを備える冷蔵庫を提供する。当該透湿装置は、互いに相対する第一表面及び第二表面を有し、第一表面及び第二表面の少なくとも一部は、中空空間を画定し、第一表面及び第二表面における中空空間を画定する領域には、通り穴が形成されており、中空空間に再生セルロースが格納されている。本発明は、さらに、透湿装置の製造方法を提供する。当該方法では、粘稠剤を加えた再生セルロースのパルプ液を中空空間に注ぎ込む。本発明によれば、中空空間を設けて、再生セルロースを直接に中空空間内に注ぎ込むことで、透湿膜を形成することから、及び不織布や保持枠を省略でき、膜を保持枠に固定して組み付ける工程も省略できる。
2017509855.tif 000002
【特許請求の範囲】
【請求項１】
互いに相対する第一表面及び第二表面を有し、前記第一表面及び前記第二表面の少なくとも一部は、中空空間を画定し、前記第一表面及び前記第二表面における前記中空空間を画定する領域には、通り穴が形成されており、前記中空空間に再生セルロースが格納されていることを特徴とする透湿装置。
【請求項２】
前記中空空間の内壁の少なくとも一部は、粗目の表面であることを特徴とする請求項１に記載の透湿装置。
【請求項３】
互いに独立した複数の前記中空空間が設けられていることを特徴とする請求項１に記載の透湿装置。
【請求項４】
前記通り穴の断面は、円形であることを特徴とする請求項１に記載の透湿装置。
【請求項５】
前記請求項１〜４のいずれかの一項に記載の透湿装置を備えることを特徴とする冷蔵庫。
【請求項６】
互いに相対する第一表面及び第二表面を有する透湿装置において、前記第一表面及び前記第二表面の少なくとも一部は、中空空間を画定し、前記第一表面及び前記第二表面における前記中空空間を画定する領域には、通り穴が形成されている透湿装置を製造する方法であって、
再生セルロースのパルプ液に粘稠剤を加える工程と、
前記パルプ液を前記中空空間に注ぎ込む工程と、
絞り出し、乾かし、表面仕上げを行う工程とを含むことを特徴とする透湿装置の製造方法。
【請求項７】
前記粘稠剤は、グルテン添加殿粉であることを特徴とする請求項６に記載の透湿装置の製造方法。
【請求項８】
前記パルプ液を前記中空空間に注ぎ込む工程において、前記透湿装置を前記パルプ液に浸漬することで、前記パルプ液を自然に前記中空空間内に流し込むことを特徴とする請求項６に記載の透湿装置の製造方法。
【請求項９】
前記パルプ液を前記中空空間に注ぎ込む工程において、注射器を用いて前記パルプ液を前記中空空間に注ぎ込むことを特徴とする請求項６に記載の透湿装置の製造方法。
【発明の詳細な説明】
【技術分野】
【０００１】
本願は、中国特許出願第２０１４１０８２４３５９.０（２０１４年１２月２６日出願、発明の名称「透湿装置、冷蔵庫及びその製造方法」）に基づく優先権を主張しており、この内容は全て本明細書に参照として取り込まれる。
【０００２】
本発明は、冷蔵庫の保湿技術に関し、特に、プラスチック部品と一体成形した透湿装置及び冷蔵庫に関する。
【背景技術】
【０００３】
一般的に、冷蔵庫は、専用の収納容器を配置することで、野菜や果物などの鮮度を保つ。鮮度は、収納容器内の湿度、温度及び気体の対流によって左右される。したがって、容器内の環境条件を適切に制御することで、鮮度の保持期間を伸ばすことができる。
【０００４】
特許文献１には、冷蔵庫に用いられる貯蔵物の保湿ケースが開示されている。当該保湿ケースは、蓋と保湿ケースとの間に形成された隙間によって、非密閉空間となり、保湿ケース内の空気を保湿ケース外の空気と交換することができる。しかし、当該発明の効果は、保湿ケースの内部の湿度を保湿ケースの外部の湿度と一致するよう調整することにあり、外部の環境湿度が高すぎる又は低すぎると、保湿ケース内の湿度が適切な範囲外となってしまう。
【０００５】
特許文献２には、再生セルロースがセルロース基材に保持された感湿性透湿膜が開示されている。ここで、膜の破裂を防止するため、まずは、感湿性透湿膜を製造し、その表面に不織布を積層する。さらに、感湿性透湿膜を保持枠に固定した後、冷蔵庫の野菜室に組み付ける。しかし、当該技術は、生産プロセスが比較的繁雑であり、かつ保湿・透湿の効果を確保するために保持枠を野菜室に隙間無く密着させることが必要であることから工程の難度が高い。
【先行技術文献】
【特許文献】
【０００６】
【特許文献１】中国実用新案第２０３４５４５８８号明細書
【特許文献２】中国特許第１０３５０７３３９Ａ号明細書
【発明の概要】
【発明が解決しようとする課題】
【０００７】
本発明は、従来の冷蔵庫において、保湿・透湿構造は、不織布や骨組みが必要であったり、膜を保持枠に固定して組み付ける工程が必要であったりする、という課題を解決することを目的とする。
【課題を解決するための手段】
【０００８】
上記の目的を実現するため、本発明は、互いに相対する第一表面及び第二表面を有する透湿装置を提供する。前記第一表面及び前記第二表面の少なくとも一部は、中空空間を画定し、前記第一表面及び前記第二表面における前記中空空間を画定する領域には、通り穴が形成されており、前記中空空間に再生セルロースが格納されている。
【０００９】
本発明の一実施形態において、前記中空空間の内壁の少なくとも一部は、粗目の表面である。
【００１０】
本発明の一実施形態において、互いに独立した複数の前記中空空間が設けられている。
【００１１】
本発明の一実施形態において、前記通り穴の断面は、円形である。
【００１２】
本発明のもう１つの態様によれば、前記透湿装置を備える冷蔵庫を提供する。
【００１３】
本発明のさらにもう１つの態様によれば、互いに相対する第一表面及び第二表面を有する透湿装置の製造方法を提供する。前記第一表面及び前記第二表面の少なくとも一部は、中空空間を画定し、前記第一表面及び前記第二表面における前記中空空間を画定する領域には、通り穴が形成されている。前記方法は、再生セルロースのパルプ液に粘稠剤を加える工程と、前記パルプ液を前記中空空間に注ぎ込む工程と、絞り出し、乾かし、表面仕上げを行う工程とを含む。
【００１４】
本発明の一実施形態において、前記粘稠剤は、グルテン添加殿粉である。
【００１５】
本発明の一実施形態において、前記パルプ液を前記中空空間に注ぎ込む工程において、前記透湿装置を前記パルプ液に浸漬することで、前記パルプ液を自然に前記中空空間内に流し込む。
【００１６】
本発明の一実施形態において、前記パルプ液を前記中空空間に注ぎ込む工程において、注射器を用いて前記パルプ液を前記中空空間に注ぎ込む。
【発明の効果】
【００１７】
従来の技術に比べて、本発明に係る透湿装置、冷蔵庫及びその製造方法は、中空空間を設けて、再生セルロースを直接に中空空間内に注ぎ込むことで、透湿膜を形成することから、不織布や保持枠を省略でき、膜を保持枠に固定して組み付ける工程も省略できる。
【図面の簡単な説明】
【００１８】
【図１】本発明に係る透湿装置を備える冷蔵庫の野菜室の構造を示す図面である。
【図２】図１の野菜室の蓋体をＤ-Ｄ方向からみた断面図である。
【図３】本発明に係る透湿装置の一実施形態を示す上面図である。
【図４】本発明に係る透湿装置のさらにもう１つの実施形態を示す上面図である。
【図５】本発明に係る透湿装置の製造方法を示す流れ図である。
【図６】本発明に係る透湿装置の製造方法の一実施形態を示す図面である。
【発明を実施するための形態】
【００１９】
以下、図面に示されている具体的な実施形態をもって、本発明について詳細に説明するが、本発明は、これらの実施形態に限定されるものではない。また、当業者は、これらの実施形態を検討することにより、本発明の構造、方法あるいは機能について修正や変更を加えることができるが、本発明の範囲及び趣旨から逸脱しない限り、全て本発明の保護範囲に属する。
【００２０】
本発明に記載されている位置及び方向を示す用語は、全て冷蔵庫の扉を参照して、扉に隣接する一端を前端、扉から離れた一端を裏端とする。
【００２１】
本発明の実施形態において、野菜室を例として、本発明の透湿装置について具体に説明するが、下記の実施形態に係る技術及び精神は、他の収納容器、例えば、引出しに代わっても適用されるものである。
【００２２】
図１に示すように、野菜室１は、底板、前壁、後壁、左側壁及び右側壁から構成されるケース１０、及び、ケース１０の上方に位置する蓋体１１を備える。
【００２３】
図２に示すように、蓋体１１は、射出一体成形品であり、上表面１１０及び下表面１１１を備える。上表面１１０は野菜室１の外側と対向し、下表面１１１は野菜室１の内側と対向している。上表面１１０及び下表面１１１の少なくとも一部は、中空空間３０１を画定している。このような構成により、上表面と下表面との間には、透湿材料が格納され、透湿膜が支えられている。
【００２４】
中空空間３０１の内壁３０１ａ、３０１ｂは、粗目の表面であることから、プラスチック部品と透湿材料との静止摩擦力を増大させる。
【００２５】
図２に示す実施例において、中空空間３０１は１つであるが、所望により、互いに独立した複数の中空空間３０１を設けてもよい。
【００２６】
図２ないし図４を参考すると、上表面１１０と下表面１１１における中空空間３０１を画定する領域には、通り穴が形成されている。透湿材料を用いて、当該通り穴を介して外部との気体及び水分の交換を行う。
【００２７】
好ましくは、通り穴は、複数であり、上表面１１０及び下表面１１１に重複して配列される。通り穴の断面形状は、例えば、円形又は多角形でもよい。さらに、通り穴の配列は、図３及び図４に示す配列に限定されることなく、例えば、メッシュ状、渦状などでもよい。通り穴からなる格子構造は、中空空間３０１内の再生セルロースを膜が形成されるよう保持する保持枠として機能し、かつ再生セルロース膜が破損及び汚染されないように、再生セルロース膜を物品との接触から守る。
【００２８】
透湿膜の主な原料は、再生セルロースである。再生セルロースは、主に、パルプ造り、パルプ貯め、微粉砕、調合、希釈・パルプ分散を含む前処理工程を経て、再生セルロースのパルプ液に製造される。ここで、当該前処理工程の条件は、製紙工程と同一であるから、これ以上の説明は省略する。
【００２９】
再生セルロースのパルプ液は、中空空間３０１に注ぎ込まれた後、乾燥して、透湿膜を形成する。図５に示すように、注込方法は、以下の工程を含む。
Ｓ１０１：  再生セルロースのパルプ液に粘稠剤を加える工程（粘稠剤は、グルテン添加殿粉や他のコロイドでもよく、再生セルロースとプラスチック部品との付着力を増大するものである。）
Ｓ１０２：  再生セルロースのパルプ液を中空空間３０１に注ぎ込む工程
Ｓ１０３：  絞り出し、乾かし、表面仕上げを行う工程
【００３０】
具体的な一実施形態において、Ｓ１０２は、再生セルロースのパルプ液が入ったタンク内に蓋体１１を浸漬させた後、通り穴及び／又は蓋体１１の側壁１１２に位置する開口を経由して、パルプ液を自然に中空空間３０１内に流し込むプロセスを含む。
【００３１】
好ましい具体的な一実施形態において、Ｓ１０２は、注射器を用いて再生セルロースのパルプ液を中空空間３０１に注ぎ込むプロセスを含む。
【００３２】
ここで、図６に示すように、好ましくは、パルプ液を中空空間３０１に注ぎ込む時、敷板１２で中空空間３０１を画定する少なくとも１つの表面を覆うことで、注ぎ込まれたパルプ液が当該表面上の通り穴から漏れ出すことを防止する。敷板１２は、再生セルロース層が乾燥して形が固定された後、取り外す。
【００３３】
以上、蓋体１１を例として、本発明に係る透湿装置の構造及び製造方法について説明したが、透湿装置は、収納容器の任意の少なくとも１面に配置できる。好ましくは、透湿装置は、冷蔵庫の冷気排出口に近接する収納容器の一面に配置される。これにより、最適な結露防止性能及び透湿性能を達成することができる。
【００３４】
ジャックパネル、金具などの移動可能構造を用いて透湿膜を収納容器に組み付ける従来の技術に比べて、本発明に係る透湿装置では、プラスチック部品を収納容器の一部として構成し、再生セルロースを直接にプラスチック部品と組み合せる。プラスチック部品は、一次成形金型をもって射出成形されるものであるから、組付工程を省略でき、透湿装置としての一体性が高まり、密封性がより優れたものとなる。また、プラスチック部品は、透湿膜の骨組みとして機能し、不織布で透湿膜を保持する従来の技術に代わることができる。ここで、プラスチック部品は、他の硬質材料（例えば金属）からなる部品としてもよい。
【００３５】
本明細書では、本発明の原理の理解を促す目的で、上記した実施形態に基づいて本発明を詳細に説明したが、各実施形態には、それぞれ１つの独立した技術案ずつ含まれていることではなく、当業者は、本明細書を一体とみなした上で、各実施形態の技術案を適切に組み合わせ、当業者が理解できる他の実施形態を導き出してもよい、と理解されるであろう。
【００３６】
上記した一連の詳細な説明は、本発明の実現可能性のある実施形態を具体的に説明するために提供したものであり、本発明を限定する目的で提供したものではない。本発明に関するなどの他の実施形態や変更は、本発明の範囲及び趣旨から逸脱しない限り、全て本発明の保護範囲に属する。
【図１】
2017509855.tif 000003
【図２】
2017509855.tif 000004
【図３】
2017509855.tif 000005
【図４】
2017509855.tif 000006
【図５】
2017509855.tif 000007
【図６】
2017509855.tif 000008
【国際調査報告】
2017509855.tif 000009
2017509855.tif 000010
2017509855.tif 000011
2017509855.tif 000012